(57)【特許請求の範囲】
【請求項１】
呼び込みローラを原稿に接触させ、この呼び込みローラを回転させることにより該原稿を引き出して送り出す原稿送り装置において、
前記呼び込みローラよりも原稿の送り出し方向の下流側で該原稿の送り出し方向と直交する方向に並設され、前記原稿の搬送路の表側に突出して該原稿の側辺を案内し、原稿の先端が突き当たったときには該原稿の搬送路の裏側に退く複数のガイド部材と、
前記各ガイド部材の少なくとも１つが原稿の搬送路の裏側に退くことを検出する検出手段と、
前記検出手段により前記各ガイド部材の少なくとも１つが原稿の搬送路の裏側に退いたことが検出されると、前記各ガイド部材のうちの原稿の先端に突き当たらなかったものが該原稿の搬送路の裏側に退くことを規制するガイド部材固定手段とを備えることを特徴とする原稿送り装置。
【請求項２】
呼び込みローラを原稿に接触させ、この呼び込みローラを回転させることにより該原稿を引き出して送り出す原稿送り装置において、
前記呼び込みローラよりも原稿の送り出し方向の下流側に設けられ、前記原稿の搬送路の表側に突出して該原稿の側辺を案内し、原稿の先端が突き当たったときには該原稿の搬送路の裏側に退くガイド部材を備え、
前記ガイド部材は、原稿の搬送路の表側に突出して該原稿の側辺を案内しているときに該原稿の側辺に当接して移動するフラッパを有し、このフラッパの移動により該ガイド部材が原稿の搬送路の裏側に退くことが規制されることを特徴とする原稿送り装置。
【請求項３】
複数のガイド部材を原稿の送り出し方向と直交する方向に並設したことを特徴とする請求項２に記載の原稿送り装置。
【請求項４】
原稿の搬送路を挟んで前記ガイド部材と対峙するガイド板を備え、
前記ガイド部材により原稿の一方の側辺を案内し、前記ガイド板により原稿の他方の側辺を案内することを特徴とする請求項１又は２に記載の原稿送り装置。
【請求項５】
前記呼び込みローラにより送り出された原稿を１枚ずつ分離させるサバキローラを備え、
前記ガイド部材は、前記呼び込みローラと前記サバキローラ間に配置されたことを特徴とする請求項１又は２に記載の原稿送り装置。
【発明の詳細な説明】
【技術分野】
【０００１】
本発明は、原稿を読取って複写したり送信する複写機やファクシミリ装置等に設けられ、原稿を原稿トレイから引き出して送り出す原稿送り装置に関する。
【背景技術】
【０００２】
この種の装置では、図１８の側面図及び図１９の平面図に示す様に原稿Ｐが原稿トレイ１０１に置かれると、原稿Ｐの先端近傍に呼び込みローラ１０２を接触させ、この呼び込みローラ１０２を回転させることにより原稿Ｐを引き出して送り出す様にしている。この原稿Ｐは、更に原稿を1枚ずつ分離するサバキローラ１０３を通じてＰＳローラ１０４へと搬送され、ＰＳローラ１０４からスキャナー（図示せず）へと搬送されて、このスキャナーで該原稿の画像を読取られる。
【０００３】
また、図１９の点線で示す様に呼び込みローラ１０２により引き出された原稿Ｐが斜めになって斜行し、原稿Ｐがそのままスキャナーまで搬送されて読取られると、原稿Ｐの画像が斜めに読取られてしまう。このため、原稿Ｐの先端をＰＳローラ１０４に当接して揃えられてから、原稿Ｐをスキャナーへと搬送している。
【０００４】
しかしながら、原稿Ｐを呼び込みローラ１０２により引き出すときに原稿Ｐが大きく斜行すると、原稿ＰをＰＳローラ１０４に当接させるだけでは、原稿Ｐの先端をＰＳローラ１０４と平行にすることができなくなる。
【０００５】
また、原稿Ｐの先端をＰＳローラ１０４に当接させて揃えることができたとしても、このときには原稿Ｐの向きが変わって、図２０に示す様に原稿Ｐの中心線Ｐ１がスキャナーによる原稿の読取り中心Ｓ１からずれてしまう。このずれ量が僅かであっても、スキャナーによる原稿の縁の読取りが不可能になるため、原稿の縁に余白が無いときには原稿の読取り不良となる。
【０００６】
このため、原稿を案内する一対のガイド板１０５を原稿トレイ１０１に設け、これらのガイド板１０５により原稿の斜行を防止する様にしている。また、各ガイド板１０５を原稿の読取り中心に対して対称に移動可能に設けておき、原稿の幅に応じて各ガイド板１０５間の距離を調節して、原稿の読取り中心をずらさずに、各ガイド板１０５により様々な幅の原稿を案内することができる様にしている。
【０００７】
ところが、一対のガイド板１０５を設けても、各ガイド板１０５間に載置された複数枚の原稿の幅が相互に異なっていたならば、最大幅の原稿のみが各ガイド板１０５により案内され、狭い幅の原稿が案内されないので、狭い幅の原稿の斜行が発生してしまう。
【０００８】
通常は、同一サイズの原稿が搬送されて読取られるので、各ガイド板１０５により全ての原稿が正確に案内される。ところが、相互に異なる幅の複数枚の原稿を混在させて読取るという使用状況もあり、この場合は、これらの原稿を原稿トレイに載置しても、各ガイド板１０５により全ての原稿が案内されず、狭い幅の原稿が斜行してしまい、その読取り不良が起こる。
【０００９】
一方、特許文献１には、相互に異なるサイズの原稿を上下に重ね合わせて載置して、サイズ別に、原稿を案内するという技術が開示されている。例えば、狭い幅の原稿を下側にし、広い幅の原稿を上側にして、複数枚の原稿を重ね合わせると、狭い幅の原稿及び広い幅の原稿のいずれもが案内される。
【特許文献１】特開平２−３１０２１８号公報
【発明の開示】
【発明が解決しようとする課題】
【００１０】
しかしながら、特許文献１では、狭い幅の原稿を１束にまとめかつ広い幅の原稿を１束にまとめる必要があり、狭い幅の原稿と広い幅の原稿が交互に交じり合っていると、これらの原稿の全てを案内することができず、原稿の斜行が発生した。
【００１１】
先に述べた様な相互に異なる幅の複数枚の原稿を混在させて読取るという使用状況は、多様な幅の原稿が交互に交じり合っている状況である。従って、この様な使用状況に対しては特許文献１の技術で対応することができない。
【００１２】
そこで、本発明は、上記従来の問題に鑑みてなされたものであり、相互に異なる幅の複数枚の原稿が混在していても、これらの原稿の全てを案内することが可能な原稿送り装置を提供することを目的とする。
【課題を解決するための手段】
【００１３】
上記課題を解決するために、本発明の原稿送り装置は、呼び込みローラを原稿に接触させ、この呼び込みローラを回転させることにより該原稿を引き出して送り出す原稿送り装置において、前記呼び込みローラよりも原稿の送り出し方向の下流側に該原稿の側辺を案内するガイド部材を設けており、前記ガイド部材は、原稿の搬送路の表側に突出して該原稿の側辺を案内し、原稿の先端が突き当たったときには該原稿の搬送路の裏側に退いている。
【００１４】
この様な本発明によれば、通常は、ガイド部材が原稿の搬送路の表側に突出している。このため、原稿の側辺がガイド部材に摺接するときには、ガイド部材により原稿の側辺を案内することができる。また、ガイド部材に原稿の先端が突き当たったときには、ガイド部材が原稿の搬送路の裏側に退くので、ガイド部材が原稿の搬送の邪魔になることはない。原稿の幅もしくは搬送位置に応じて、原稿の側辺がガイド部材に摺接するか原稿の先端がガイド部材に突き当たるかが決まる。従って、相互に異なる幅の複数枚の原稿が混在していても、ガイド部材による原稿の案内が可能である。
【００１５】
また、本発明においては、複数のガイド部材を原稿の送り出し方向と直交する方向に並設している。そして、前記各ガイド部材のうちの原稿の先端に突き当たらなかったものが該原稿の搬送路の裏側に退くことを規制するガイド部材固定手段を備えている。あるいは、前記各ガイド部材の少なくとも１つが原稿の搬送路の裏側に退いたことを検出する検出手段を備え、前記固定手段は、前記検出手段により前記ガイド部材が原稿の搬送路の裏側に退いたことが検出されると、前記各ガイド部材のうちの原稿の先端に突き当たらなかったものが該原稿の搬送路の裏側に退くことを規制している。
【００１６】
この場合は、相互に異なる幅の複数枚の原稿が混在していても、あるいは複数枚の原稿の位置が揃っていなくても、原稿毎に、各ガイド部材のいずれかにより原稿を案内することができ、他のガイド部材により原稿の搬送が邪魔されることはない。
【００１７】
そして、各ガイド部材のうちの原稿の先端に突き当たらなかったものが原稿の搬送路の裏側に退くことを規制される。あるいは、ガイド部材が原稿の搬送路の裏側に退いたことが検出されると、各ガイド部材のうちの原稿の先端に突き当たらなかったものが原稿の搬送路の裏側に退くことを規制される。従って、原稿の側辺を案内しているガイド部材に原稿が乗り上がっても、このガイド部材が原稿の搬送路の裏側に退くことはなく、原稿の案内が中断することはない。
【００１８】
更に、本発明においては、原稿の搬送路を挟んで前記ガイド部材と対峙するガイド板を備え、前記ガイド部材により原稿の一方の側辺を案内し、前記ガイド板により原稿の他方の側辺を案内している。
【００１９】
一般の原稿搬送装置においては原稿を案内する既存のガイド板があるので、このガイド板を利用して、ガイド板と本発明におけるガイド部材間で原稿を案内しても良い。これにより、ガイド部材の個数を抑えることができる。
【００２０】
また、本発明においては、前記ガイド部材は、原稿の搬送路の表側に突出して該原稿の側辺を案内しているときに該原稿の側辺に当接して移動するフラッパを有し、このフラッパの移動により該ガイド部材が原稿の搬送路の裏側に退くことが規制されている。
【００２１】
この場合は、原稿の搬送路の裏側に退くことを規制する固定手段を格別に設ける必要がなく、装置の大型化やコスト増大を抑制することができる。
【００２２】
更に、本発明においては、前記呼び込みローラにより送り出された原稿を１枚ずつ分離させるサバキローラを備え、前記ガイド部材は、前記呼び込みローラと前記サバキローラ間に配置されている。
【００２３】
この場合は、呼び込みローラよりも原稿の搬送方向下流側にガイド部材が配置され、呼び込みローラよりも上流側の原稿を載置する部位にはガイド部材が配置されないことになり、ガイド部材が原稿の載置に邪魔になることはない。
【発明の効果】
【００２４】
この様に本発明の原稿送り装置によれば、原稿の側辺がガイド部材に摺接するときには、ガイド部材により原稿の側辺を案内することができ、またガイド部材に原稿の先端が突き当たったときには、ガイド部材が原稿の搬送路の裏側に退くので、ガイド部材が原稿の搬送の邪魔になることはない。原稿の幅もしくは搬送位置に応じて、原稿の側辺がガイド部材に摺接するか原稿の先端がガイド部材に突き当たるかが決まるので、相互に異なる幅の複数枚の原稿が混在していても、ガイド部材による原稿の案内が可能である。
【発明を実施するための最良の形態】
【００２５】
以下、本発明の実施形態を添付図面を参照しつつ詳細に説明する。
【００２６】
＜実施形態１＞
図１は、本発明の原稿送り装置の実施形態１を側方から見て示す断面図である。また、図２は、本実施形態の原稿送り装置を示す平面図である。本実施形態の原稿送り装置は、例えば原稿を読取って複写する複写機に適用されるものであり、原稿を原稿トレイ１から引き出して、この原稿をスキャナー（図示せず）による原稿の読取り箇所５まで送り出す。
【００２７】
この原稿送り装置は、原稿が載置される原稿トレイ１、中間トレイ２、原稿が排出される原稿排紙トレイ３、及び各トレイ１、２、３間で原稿を搬送する原稿搬送機構４を備えている。
【００２８】
原稿搬送機構４は、原稿トレイ１に載置された原稿を、原稿読取箇所５を介して中間トレイ２又は原稿排紙トレイ３へと搬送するための主搬送路６と、中間トレイ２上の原稿を主搬送路６に戻して供給するための副搬送路７とを備えている。
【００２９】
主搬送路６の上流端側（原稿トレイ１の排出側に対向する部分）には、呼び込みローラ８及び一対のサバキローラ９が配設されている。呼び込みローラ８は、連結アーム１０の先端に軸支されており、この連結アーム１０がサバキローラ９の軸に対して回転自在に軸支されている。これにより、呼び込みローラ８がサバキローラ９の軸を回転中心として回転自在に支持され、呼び込みローラ８の昇降が可能にされている。原稿が原稿トレイ１に載置される前は、呼び込みローラ８が上方に移動され、この状態で原稿が原稿トレイ１に載置され、原稿の先端が原稿トレイ１と呼び込みローラ８間に滑り込んで位置Ａに至る。そして、呼び込みローラ８が下方に移動されると、呼び込みローラ８が原稿の先端近傍に接触する。この後、呼び込みローラ８が回転されると、呼び込みローラ８により原稿トレイ１の原稿が引き出され、この原稿が各サバキローラ９の間を通過して搬送されて行く。
【００３０】
主搬送路６と副搬送路７との合流箇所Ｂよりも下流側には一対のＰＳローラ１１及び搬送ローラ１２が設けられ、更に下流側に原稿読取り装置（図示せず）のプラテンガラス１３が設けられ、このプラテンガラス１３の下方に原稿画像を読取るスキャナー（図示せず）が設けられている。各ＰＳローラ１１は、その回転を一時的に停止されており、各サバキローラ９の間を経由して来た原稿の先端が該各ＰＳローラ１１に突き当たって、原稿の先端が該各ＰＳローラ１１と平行に揃えられる。そして、各ＰＳローラ１１は、スキャナー（図示せず）による読取開始時に原稿の先端がプラテンガラス１３に達する様なタイミングで、その回転を開始して、原稿の搬送を開始する。
【００３１】
スキャナーは、プラテンガラス１３を通じて、該プラテンガラス１３上で副走査方向に搬送される原稿を照明し、原稿画像を主走査方向に繰り返し読取って、原稿画像全体を読取る。
【００３２】
プラテンガラス１３の下流側には、搬送ローラ１４及び揺動板１５が設けられており、主搬送経路６における揺動板１５よりも下流側に一対の原稿排紙ローラ１６及び原稿排紙トレイ３が設けられ、副搬送経路７における揺動板１５よりも下流側に一対の搬送ローラ１７及び中間トレイ２が設けられている。プラテンガラス１３上を通過して来た原稿は、搬送ローラ１４、揺動板１５、及び各原稿排紙ローラ１６を通じて原稿排紙トレイ３に排出されるか、あるいは搬送ローラ１４、揺動板１５、及び各搬送ローラ１７を通じて中間トレイ２へと搬送される。
【００３３】
揺動板１５は、上下方向に揺動して、プラテンガラス１３上を通過して来た原稿を原稿排紙トレイ３及び中間トレイ２のいずれかの側に切り替えて導く。この揺動板１５により原稿が原稿排紙トレイ３側に導かれた場合は、原稿が各原稿排紙ローラ１６を通じて原稿排紙トレイ３に排出される。また、この揺動板１５により原稿が中間トレイ２側に導かれた場合は、原稿が各搬送ローラ１７を通じて中間トレイ２へと搬送され、原稿の先端側が中間トレイ２上に載る。そして、各搬送ローラ１７間に原稿の後端が挟まれているタイミングで、各搬送ローラ１７が停止されて逆回転駆動され、原稿が揺動板１５を介して副搬送経路７へと搬送される。更に原稿が副搬送経路７から主搬送経路６へと搬送されて、原稿の表裏が反転される。そして、原稿は、その先端を各ＰＳローラ１１と平行に揃えられてから、プラテンガラス１３上を通過して、該原稿の裏側の画像を読取られ、各原稿排紙ローラ１６を通じて原稿排紙トレイ３に排出される。
【００３４】
ところで、この様な原稿送り装置においては、原稿の先端を各ＰＳローラ１１と平行に揃えてから、原稿をプラテンガラス１３まで搬送して、原稿画像をスキャナーにより読取り、これにより原稿画像が斜めに読取られることを防止している。
【００３５】
しかしながら、呼び込みローラ８による引き出しに際して原稿が大きく斜行すると、原稿を各ＰＳローラ１１に当接させるだけでは、原稿の先端を各ＰＳローラ１１と平行にすることができなくなる。また、原稿の先端を各ＰＳローラ１１に当接させて揃えることができたとしても、図２０に示す様に原稿Ｐの中心線Ｐ１がスキャナーによる原稿の読取り中心Ｓ１からずれてしまう。
【００３６】
このため、原稿送り装置では、原稿を案内する一対のガイド板１８ａ、１８ｂを原稿トレイ１に設け、これらのガイド板１８ａ、１８ｂにより原稿を案内して、原稿の斜行を防止している。また、各ガイド板１８ａ、１８ｂを原稿の送り出し方向と直交する方向に移動自在に支持し、各ガイド板１８ａ、１８ｂをラックアンドピニオンギア等の伝達機構（図示せず）を通じて連動させて、各ガイド板１８ａ、１８ｂを原稿の読取り中心に対して対称移動させる様にしている。これにより、原稿の幅に応じて各ガイド板１８ａ、１８ｂ間の距離を調節して、原稿の読取り中心をずらさずに、各ガイド板１８ａ、１８ｂにより様々な幅の原稿を案内することができる。
【００３７】
ただし、各ガイド板１８ａ、１８ｂ間に載置された複数枚の原稿の幅が相互に異なっていたならば、最大幅の原稿のみが各ガイド板１８ａ、１８ｂにより案内され、狭い幅の原稿が案内されないので、狭い幅の原稿の斜行が発生する。例えば、図３（ａ）、（ｂ）に示す様に狭い幅の原稿Ｐが各ガイド板１８ａ、１８ｂの一方に接しかつ他方から離間した状態であるとすると、呼び込みローラ８が原稿Ｐの中心線Ｐ１から外れた位置に接触し、呼び込みローラ８の引き出す力が原稿Ｐの中心線Ｐ１から外れた位置に加わるので、原稿Ｐの中心線Ｐ１上の重心ｐ2周りにモーメントが発生し、図３（ｃ）に示す様に原稿Ｐが矢印方向Ｃに斜行する。
【００３８】
そこで、本実施形態では、複数のガイド部材２１を呼び込みローラ８と各サバキローラ９間に配置し、これらのガイド部材２１を原稿の搬送方向と直交する方向に並設し、これらのガイド部材２１の配置間隔を狭くして、様々な幅の原稿の両側辺を各ガイド部材２１のうちの一対により案内することを可能にし、その斜行を防止している。
【００３９】
図４の平面図及び図５の正面図に示す様に原稿Ｐの幅が狭くて、原稿Ｐが各ガイド板１８ａ、１８ｂの一方に接しかつ他方から離間している状態でも、原稿Ｐが乗っている各ガイド部材２１が原稿の搬送路の下方に（搬送路の裏側に）沈み込んで退き、また原稿Ｐの両外側の他の各ガイド部材２１が原稿の搬送路の上方に（搬送路の表側に）突出し、上方に突出している各ガイド部材２１のうちの一対が原稿Ｐの両側辺に接触して該原稿Ｐを案内する。これにより、原稿Ｐの斜行が防止される。
【００４０】
図６（ａ）、（ｂ）は、ガイド部材２１を示す側面図及び正面図である。図６に示す様にガイド部材２１は、略矩形状であって、その側辺２１ａが傾斜しており、この傾斜している側辺２１ａが原稿トレイ１並びに呼び込みローラ８側に向く。また、ガイド部材２１の底辺の一端に突起片２１ｂが設けられている。ガイド部材２１の突起片２１ｂには孔が形成されており、この突起片２１ｂの孔に軸２２が挿通されて、ガイド部材２１が軸２２周りに回転自在に支持されている。また、コイルバネ２３が軸２２に挿通され、このコイルバネ２３の両端がガイド部材２１の突起片２１ｂと軸２２にそれぞれ固定されている。このコイルバネ２３によりガイド部材２１が軸２２周りで弾性的に支持され、原稿の搬送路の上方に突出したガイド部材２１の姿勢が支持される。
【００４１】
ここで、図７（ａ）に示す様に呼び込みローラ８により送り出されて来た原稿Ｐの先端がガイド部材２１の傾斜している側辺２１ａに突き当たると、ガイド部材２１に軸２２周りの回転力が生じ、この回転力がコイルバネ２３の弾性力にうち勝って、ガイド部材２１が回転して押し倒され、ガイド部材２１が原稿Ｐの搬送路の下方に沈み込む。そして、原稿Ｐがガイド部材２１に乗っている間は、ガイド部材２１が搬送路の下方に沈み込んだままとなる。
【００４２】
この後、図７（ｂ）に示す様に原稿Ｐがガイド部材２１の上を通り過ぎると、コイルバネ２３の弾性力によりガイド部材２１が軸２２周りで逆回転して原稿Ｐの搬送路の上方に突出し、元の状態に戻る。
【００４３】
図２に示す各ガイド部材２１は、１本の軸２２により共に軸支されており、それぞれのコイルバネ２３により個別に弾性的に支持されている。従って、ガイド部材２１毎に、原稿Ｐの先端に突き当たったガイド部材２１が原稿Ｐの搬送路の下方に沈み込み、また原稿Ｐの先端に突き当たらなかったガイド部材２１が該搬送路の上方に突出したままとなる。そして、上方に突出している各ガイド部材２１のうちの一対が原稿Ｐの両側辺に接触して該原稿Ｐを案内する。
【００４４】
この様に本実施形態では、原稿Ｐの先端に突き当たると下方に沈み込むという複数のガイド部材２１をその配置間隔を狭くして並設したので、様々な幅の原稿の両側辺を各ガイド部材２１のうちの一対により案内して、その斜行を防止することができる。
【００４５】
また、各ガイド部材２１を呼び出しローラ８と各サバキローラ９間に配置しているので、各ガイド部材２１が原稿トレイ１への原稿の載置に邪魔になることがない。
【００４６】
尚、複数枚の原稿の幅が相互に異なる場合は、各原稿の一辺を揃えて各ガイド板１８ａ、１８ｂの一方に当接させる様にする。これにより、狭い幅の原稿であっても、各ガイド板１８ａ、１８ｂの一方により原稿の一辺が案内されつつ、一対のガイド部材２１により原稿の両側辺が案内されるので、原稿の斜行を効果的に防止することができる。
【００４７】
また、各ガイド部材２１の天地を逆にしても良い。この場合は、ガイド部材２１が原稿の先端に突き当たると、ガイド部材２１が上方に持ち上がることになり、この上方に持ち上がったガイド部材２１と搬送路間を原稿が通過し、一対のガイド部材２１により原稿の両側辺が案内される。
【００４８】
＜実施形態２＞
図８は、本発明の原稿送り装置の実施形態２におけるガイド部材を示す側面図である。また、図９は、本実施形態における複数のガイド部材を示す平面図である。尚、本実施形態の原稿送り装置は、図１及び図２の装置と基本構成が同様であり、ガイド部材の構成のみが異なる。このため、ここではガイド部材の構成のみを説明する。
【００４９】
本実施形態では、図１及び図２の装置におけるガイド部材２１と同様に、複数のガイド部材３１を呼び込みローラ８と各サバキローラ９間に配置し、これらのガイド部材３１を原稿の搬送方向と直交する方向にその配置間隔を狭くして並設し、様々な幅の原稿の両側辺を各ガイド部材３１のうちの一対により案内することを可能にしている。そして、各ガイド部材３１に沿って棒状のロック部材３２を設け、また各ガイド部材３１にそれぞれの光センサ３３を設けている。制御部３４は、各光センサ３３の検出出力に基づいてロック部材３２の位置を制御する。
【００５０】
ガイド部材３１は、略矩形状であって、その側辺３１ａが傾斜しており、この傾斜している側辺３１ａが原稿トレイ１並びに呼び込みローラ８側に向く。また、ガイド部材３１の底辺一端に突起片３１ｂが形成され、この突起辺３１ｂの孔に軸３５が挿通されて、ガイド部材３１が軸３５周りに回転自在に支持されている。更に、コイルバネ３６によりガイド部材３１が軸３５周りで弾性的に支持されて、原稿の搬送路の上方に突出したガイド部材３１の姿勢が支持される。
【００５１】
また、ガイド部材３１の底辺他端にリブ３１ｃが形成されている。棒状のロック部材３２は、各ガイド部材３１のリブ３１ｃの下方に配置され、原稿の搬送方向と直交する方向に移動可能に支持されている。このロック部材３２には、各ガイド部材３１のリブ３１ｃの直下にそれぞれの切り欠き３２ａが形成されている。また、原稿送り装置本体に固定されたスプリング３７によりロック部材３２の一端が弾性的に支持され、ロック部材３２の他端がソレノイド３８のプランジャー３８ａに連結されている。
【００５２】
ソレノイド３８が消勢されているときには、図９に示す様にスプリング３７の弾性力によりロック部材３２の各切り欠き３２ａが各ガイド部材３１のリブ３１ｃの直下に位置決めされる。このため、図８の点線で示す様に各ガイド部材３１のリブ３１ｃがロック部材３２の各切り欠き３２ａを通過することができ、各ガイド部材３１が搬送路の下方に沈み込むことができる。
【００５３】
また、ソレノイド３８が付勢されているときには、図１０に示す様にソレノイド３８のプランジャー３８ａが引っ込んで、ロック部材３２が移動し、ロック部材３２の各切り欠き３２ａが各ガイド部材３１のリブ３１ｃの直下の位置からずれる。このため、図１１に示す様に各ガイド部材３１のリブ３１ｃがロック部材３２上に乗り、各ガイド部材３１が搬送路の下方に沈み込むことが規制される。
【００５４】
更に、各光センサ３３は、透過型の光センサであり、ガイド部材３１が搬送路の下方に沈み込むと、その光路を断たれる。このため、各光センサ３３の検出出力に基づいて各ガイド部材３１が搬送路の下方に沈み込んだことを判定することができる。
【００５５】
制御部３４は、各光センサ３３の検出出力に基づいて少なくとも１つのガイド部材３１が搬送路の下方に沈み込んだことを判定すると、ソレノイド３８を付勢して、ロック部材３２を移動させ、各ガイド部材３１が搬送路の下方に沈み込まない様にする。
【００５６】
さて、この様な構成において、通常は、ソレノイド３８が消勢されており、各ガイド部材３１が搬送路の下方に沈み込むことが可能な状態になっている。従って、図１及び図２のガイド部材２１と同様に、ガイド部材３１毎に、原稿Ｐの先端に突き当たったガイド部材３１が原稿Ｐの搬送路の下方に沈み込み、また原稿Ｐの先端に突き当たらなかったガイド部材３１が該搬送路の上方に突出したままとなり、上方に突出している各ガイド部材３１のうちの一対が原稿Ｐの両側辺に接触して該原稿Ｐを案内する。
【００５７】
このとき、制御部３４は、各光センサ３３の検出出力に基づいて少なくとも１つのガイド部材３１が搬送路の下方に沈み込んだことを判定し、ソレノイド３８を付勢して、ロック部材３２を移動させる。これにより、原稿Ｐの搬送路の上方に突出したままの各ガイド部材３１のリブ３１ｃがロック部材３２上に乗り、該各ガイド部材３１が搬送路の下方に沈み込むことが不可能になる。このため、原稿Ｐの両側辺を案内している一対のガイド部材３１に該原稿Ｐが乗り上がっても、これらのガイド部材３１が下方に沈み込むことはなく、原稿Ｐを安定的に案内することができる。
【００５８】
原稿Ｐが各ガイド部材３１の上方を通過した後は、下方に沈み込んでいた各ガイド部材３１が上方に突出して、元の状態に戻るので、制御部３４は、各光センサ３３の検出出力に基づいて各ガイド部材３１が下方に沈み込んでいないことを判定し、ソレノイド３８を消勢して、ロック部材３２を元の位置に戻す。これにより、各ガイド部材３１の全てが搬送路の下方に沈み込むことが再び可能になる。
【００５９】
＜実施形態３＞
図１２は、本発明の原稿送り装置の実施形態３を示す平面図である。尚、図１２において、図１及び図２の装置と同様の作用を果たす部位には同じ符号を付す。
【００６０】
本実施形態の原稿送り装置では、呼び込みローラ８よりもガイド板１８ｂ寄りに複数のガイド部材２１-1〜２１-4を設け、ガイド板１８ａ寄りにはガイド部材を設けていない。各ガイド部材２１-1〜２１-4は、図６のガイド部材２１と同様の形状並びに構成であり、その個数と原稿の搬送方向と直交する方向での位置が異なる。従って、各ガイド部材２１-1〜２１-4は、原稿Ｐの先端に突き当たると原稿Ｐの搬送路の下方に沈み込み、また原稿Ｐの先端に突き当たらなければ該搬送路の上方に突出したままとなる。
【００６１】
ここでは、定型サイズの原稿をガイド板１８ａと各ガイド部材２１-1〜２１-4のいずれかとの間で案内する。このために、各ガイド部材２１-1〜２１-4の位置を原稿の定型サイズに合わせて予め設定している。例えば、各ガイド板１８ａ、１８ｂをＡ３サイズの原稿の縦幅に合わせて位置決めした状態では、ガイド板１８ａとガイド部材２１-1間の離間距離がＢ４サイズの原稿の縦幅に一致する様にガイド部材２１-1を位置決めしている。これにより、Ａ３サイズの原稿とＢ４サイズの原稿が混在していても、各原稿の一辺が揃えられてガイド板１８ａに当接されていれば、Ａ３サイズの原稿が各ガイド板１８ａ、１８ｂ間で案内され、Ｂ４サイズの原稿がガイド板１８ａとガイド部材２１-1間で案内される。
【００６２】
同様に、各ガイド板１８ａ、１８ｂをＢ４サイズの原稿の縦幅に合わせて矢印方向Ｂに移動させて位置決めした状態では、ガイド板１８ａとガイド部材２１-2間の離間距離がＡ４サイズの原稿の縦幅に一致する様にガイド部材２１-2を位置決めし、また各ガイド板１８ａ、１８ｂをＡ４サイズの原稿の縦幅に合わせて位置決めした状態では、ガイド板１８ａとガイド部材２１-3間の離間距離がＢ５サイズの原稿の縦幅に一致する様にガイド部材２１-3を位置決めし、更に各ガイド板１８ａ、１８ｂをＢ５サイズの原稿の縦幅に合わせて位置決めした状態では、ガイド板１８ａとガイド部材２１-4間の離間距離がＡ５サイズの原稿の縦幅に一致する様にガイド部材２１-4を位置決めしている。これにより、Ｂ４サイズの原稿とＡ４サイズの原稿が混在していても、またＡ４サイズの原稿とＢ５サイズの原稿が混在していても、あるいはＢ５サイズの原稿とＡ５サイズの原稿が混在していても、それぞれの原稿を各ガイド板１８ａ、１８ｂ間及びガイド板１８ａとガイド部材間で案内することができる。
【００６３】
この様に本実施形態では、既存のガイド板とガイド部材を併用し、定型サイズの原稿を案内することを前提としているので、ガイド部材の個数を抑えることができる。
【００６４】
尚、定型サイズ以外の原稿は、各ガイド板１８間で案内すれば良い。
【００６５】
＜実施形態４＞
図１３は、本発明の原稿送り装置の実施形態４におけるガイド部材を示す平面図である。また、図１４は、本実施形態におけるガイド部材を示す側面図である。尚、本実施形態の原稿送り装置は、図１及び図２の装置と基本構成が同様であり、ガイド部材の構成のみが異なる。このため、ここではガイド部材の構成のみを説明する。
【００６６】
本実施形態では、図１及び図２の装置におけるガイド部材２１と同様に、複数のガイド部材４１を呼び込みローラ８と各サバキローラ９間に配置し、これらのガイド部材４１を原稿の搬送方向と直交する方向にその配置間隔を狭くして並設し、様々な幅の原稿の両側辺を各ガイド部材４１のうちの一対により案内することを可能にしている。
【００６７】
ガイド部材４１は、略矩形状の枠体４２と、この枠体４２の開口部４２ａに配置された略Ｌ型状のフラッパ４３とを備えている。枠体４２は、原稿の搬送路４４に形成された孔４４ａ内に配置されており、該枠体４２の底辺一端の突起部４２ｂに孔が形成され、この突起部４２ｂの孔に軸４５が挿通されて、この枠体４２が軸４５周りに回転自在に支持されている。そして、コイルバネ４６により枠体４２が軸４５周りで弾性的に支持されて、原稿の搬送路４４の上方に突出した枠体４２（ガイド部材４１）の姿勢が支持される。
【００６８】
図１５に示す様にフラッパ４３の一側辺近傍には孔が形成されて、このフラッパ４３の孔に軸４７が挿通され、図１４に示す様に軸４７の両端が枠体４２の開口部４２ａ内で固定支持されて、このフラッパ４３が枠体４２の開口部４２ａで揺動自在に支持されている。また、コイルバネ４８が軸４７に挿通され、このコイルバネ４８の両端がフラッパ４３と軸４７にそれぞれ固定されている。これにより、フラッパ４３が軸４７周りで弾性的に支持され、枠体４２から横方向に突出したフラッパ４３の状態が維持される。
【００６９】
更に、原稿の搬送路４４の下側面にはＬ型突起４９が固定されており、このＬ型突起４９の先端４９ａが枠体４２の開口部４２ａの下側に入っている。
【００７０】
この様な複数のガイド部材４１は、先に述べた様に原稿の搬送方向と直交する方向にその配置間隔を狭くして並設されている。ただし、搬送方向に沿う搬送路４４の中心線を対称軸にして、対称軸の一方の側にある各ガイド部材４１のフラッパ４３が該対称軸側に突出し、かつ対称軸の他方の側にある他の各ガイド部材４１のフラッパ４３が該対称軸側に突出する様にしている。従って、対称軸の一方の側にある各ガイド部材４１と対称軸の他方の側にある他の各ガイド部材４１が対称形状となっている。
【００７１】
ここで、図１６に示す様に呼び込みローラ８により送り出されて来た原稿Ｐの先端がガイド部材４１の枠体４２の傾斜している側辺４２ｃに突き当たると、枠体４２に軸４５周りの回転力が生じて、枠体４２が回転して押し倒され、ガイド部材４１が搬送路４４の下方に沈み込む。このとき、枠体４２の開口部４２ａ内周の上側縁がＬ型突起４９の先端４９ａに接触するまで、ガイド部材４１が下方に沈み込む。
【００７２】
また、原稿Ｐの先端に突き当たらなかったガイド部材４１は、搬送路４４の上方に突出したままとなる。
【００７３】
更に、上方に突出している各ガイド部材４１のうちの一対が原稿Ｐの両側辺に接触して、この一対のガイド部材４１が原稿Ｐを案内する。このとき、一対のガイド部材４１のフラッパ４３は、図１７に示す様に原稿Ｐの側辺に押されてそれぞれの枠体４２の開口部４２ａの内側に入る。そして、フラッパ４３の下端が枠体４２の開口部４２ａの下側にあるＬ型突起４９の先端４９ａの上に乗って、フラッパ４３の下方への移動が規制される。これにより、一対のガイド部材４１が搬送路４４の下方に沈み込むことができなくなる。このため、原稿Ｐの両側辺を案内している一対のガイド部材４１に該原稿Ｐが乗り上がっても、これらのガイド部材４１が下方に沈み込むことはなく、原稿Ｐを安定的に案内することができる。また、一対のガイド部材４１のフラッパ４３は、それぞれのコイルバネ４８により原稿Ｐの両側辺に押し付けられ、原稿Ｐの両側辺を隙間無く正確に案内する。
【００７４】
原稿Ｐが各ガイド部材４１の上方を通過した後は、一対のガイド部材４１のフラッパ４３がそれぞれのコイルバネ４８の弾性力により枠体４２の開口部４２ａから横方向に突出して、これらのフラッパ４３の下端がそれぞれのＬ型突起４９の先端４９ａから外れ、元の状態に戻る。また、下方に沈み込んでいた他の各ガイド部材４１も上方に突出して、元の状態に戻る。
【００７５】
この様に本実施形態では、原稿の側辺を案内しているときにガイド部材４１が下方に沈み込まない様にするための機構を該ガイド部材４１そのものに付加しているので、その様な機構を別途格別に設ける必要がなく、装置の大型化やコスト増大を抑制することができる。
【００７６】
尚、本発明は、上記各実施形態に限定されるものではなく、多様に変形することができる。例えば、ガイド部材の形状、サイズ、個数、位置等を適宜に変更しても構わない。
【図面の簡単な説明】
【００７７】
【図１】本発明の原稿送り装置の実施形態１を側方から見て示す断面図である。
【図２】図１の原稿送り装置を示す平面図である。
【図３】（ａ）〜（ｃ）は原稿の斜行が生じる現象及び斜行の抑制作用を説明するために用いた図である。
【図４】図１の原稿送り装置の原稿トレイに幅の狭い原稿を載置した状態を示す平面図である。
【図５】図１の原稿送り装置における各ガイド部材を示す正面図である。
【図６】（ａ）、（ｂ）は、図１の原稿送り装置におけるガイド部材を示す側面図及び正面図である。
【図７】（ａ）、（ｂ）は、図１の原稿送り装置におけるガイド部材の動作を説明するために用いた図である。
【図８】本発明の原稿送り装置の実施形態２におけるガイド部材を示す側面図である。
【図９】図８の装置における複数のガイド部材を示す平面図である。
【図１０】図８の原稿送り装置における各ガイド部材の動作を説明するために用いた図である。
【図１１】図８の原稿送り装置におけるガイド部材が固定された状態を示す側面図である。
【図１２】本発明の原稿送り装置の実施形態３を示す平面図である。
【図１３】本発明の原稿送り装置の実施形態４におけるガイド部材を示す平面図である。
【図１４】図１３のガイド部材を示す側面図である。
【図１５】図１３のガイド部材におけるフラッパを示す側面図である。
【図１６】図１３のガイド部材が原稿の搬送路の下方に沈み込んだ状態を示す側面図である。
【図１７】図１３のガイド部材のフラッパが枠体に入った状態を示す平面図である。
【図１８】従来の装置を概略的に示す側面図である。
【図１９】図１８の装置を概略的に示す平面図である。
【図２０】原稿の中心ずれを説明するために用いた図である。
【符号の説明】
【００７８】
１  原稿トレイ
２  中間トレイ
３  原稿排紙トレイ
４  原稿搬送機構
５  原稿読取部
６  主搬送路
７  副搬送路
８  呼び込みローラ
９  サバキローラ
１０  連結アーム
１１  ＰＳローラ
１２、１４、１７  搬送ローラ
１３  プラテンガラス
１５  揺動板
１６  原稿排紙ローラ
１８ａ、１８ｂ  ガイド板
２１、３１、４１  ガイド部材
３２  ロック部材
３３  光センサ
３４  制御部
４２  枠体
４３  フラッパ
【図１】
0004440193.tif 000002
【図２】
0004440193.tif 000003
【図３】
0004440193.tif 000004
【図４】
0004440193.tif 000005
【図５】
0004440193.tif 000006
【図６】
0004440193.tif 000007
【図７】
0004440193.tif 000008
【図８】
0004440193.tif 000009
【図９】
0004440193.tif 000010
【図１０】
0004440193.tif 000011
【図１１】
0004440193.tif 000012
【図１２】
0004440193.tif 000013
【図１３】
0004440193.tif 000014
【図１４】
0004440193.tif 000015
【図１５】
0004440193.tif 000016
【図１６】
0004440193.tif 000017
【図１７】
0004440193.tif 000018
【図１８】
0004440193.tif 000019
【図１９】
0004440193.tif 000020
【図２０】
0004440193.tif 000021